(57)【要約】  ノードで光トラフィックを通信する方法は、ネットワーク上で光トラフィックを受信するステップと、光トラフィックを、光トラフィックの構成成分信号に分離するステップとを含む。本方法は、構成成分信号の少なくとも１つを分岐信号及び継続信号に分けるステップと、分岐信号を受信及び復元するステップとを含む。本方法は、ネットワークでの通信用に、挿入信号及び継続信号の間で選択を行うステップと、ネットワークでの通信用に、選択された信号を他の信号と多重するステップとを有する。
2007514380.tif 000002
【特許請求の範囲】
【請求項１】
ノードで光トラフィックを通信する方法であって、
ネットワーク上で光トラフィックを受信するステップと、
前記光トラフィックを、該光トラフィックの構成成分信号に分離するステップと、
前記構成成分信号の少なくとも１つを分岐信号及び継続信号に分けるステップと、
前記分岐信号を受信及び復元するステップと、
前記ネットワークでの通信用に、挿入信号及び前記継続信号の間で選択を行うステップと、
前記ネットワークでの通信用に、選択された信号を他の信号と多重するステップと、
を有することを特徴とする方法。
【請求項２】
光トラフィックを構成成分信号に分離するステップが、前記光トラフィックを構成波長成分に分離するステップを有する
ことを特徴とする請求項１記載の方法。
【請求項３】
前記光トラフィックを構成波長成分に分離するステップが、前記光トラフィックを約４０個の構成波長成分に分離するステップを有する
ことを特徴とする請求項２記載の方法。
【請求項４】
前記光トラフィックを分離するステップが、前記光トラフィックをデマルチプレクサカードで分離するステップを有し、
前記構成成分信号の少なくとも１つを分けるステップが、前記構成成分信号の少なくとも１つを前記デマルチプレクサカードで分離するステップを有する
ことを特徴とする請求項１記載の方法。
【請求項５】
前記構成成分信号の少なくとも１つを前記デマルチプレクサカードで分離するステップが、アレイウエーブガイド技術又は薄膜フィルタを用いて、前記構成成分信号の少なくとも１つを前記デマルチプレクサカードで分離するステップを有する
ことを特徴とする請求項４記載の方法。
【請求項６】
前記分岐信号を第１分岐信号及び第２分岐信号に分岐するステップと、
前記第１分岐信号をワーク受信機で受信するステップと、
前記第２分岐信号をプロテクト受信機で受信するステップと、
を有することを特徴とする請求項１記載の方法。
【請求項７】
挿入信号及び前記継続信号の間で選択を行うステップが、２×１スイッチにより挿入信号及び前記継続信号の間で選択を行うステップを有する
ことを特徴とする請求項１記載の方法。
【請求項８】
光監視信号を前記光トラフィックから取り出すステップ
を有することを特徴とする請求項１記載の方法。
【請求項９】
ノードで光トラフィックを通信するシステムであって、
ネットワーク上で光トラフィックを受信するノードと、
前記ノードで受信された前記光トラフィックを、該光トラフィックの構成成分信号に分離するデマルチプレクサと、
前記デマルチプレクサに結合され、前記構成成分信号の少なくとも１つを分岐信号及び継続信号に分けるスプリッタと、
前記スプリッタに結合され、前記分岐信号を受信及び復元する受信機と、
前記スプリッタに結合され、前記ネットワークでの通信用に、挿入信号及び前記継続信号の間で選択を行うスイッチと、
前記スイッチに結合され、前記ネットワークでの通信用に、選択された信号を他の信号と多重するマルチプレクサと、
を有することを特徴とするシステム。
【請求項１０】
光トラフィックを構成成分信号に分離するデマルチプレクサが、前記光トラフィックを構成波長成分に分離するデマルチプレクサより成る
ことを特徴とする請求項９記載のシステム。
【請求項１１】
前記光トラフィックを構成波長成分に分離するデマルチプレクサが、前記光トラフィックを約４０個の構成波長成分に分離するデマルチプレクサより成る
ことを特徴とする請求項１０記載のシステム。
【請求項１２】
前記デマルチプレクサ及び前記スプリッタが、デマルチプレクサカードに設けられる
ことを特徴とする請求項９記載のシステム。
【請求項１３】
前記スプリッタが、アレイウエーブガイド技術又は薄膜フィルタを用いて、前記構成成分信号の少なくとも１つを前記デマルチプレクサカードで分岐信号及び継続信号に分離する
ことを特徴とする請求項１２記載のシステム。
【請求項１４】
前記スプリッタに結合され、前記分岐信号を第１分岐信号及び第２分岐信号に分岐する第２スプリッタと、
前記第２スプリッタに結合され、前記第１分岐信号受信するワーク受信機と、
前記第２スプリッタに結合され、前記第２分岐信号を受信するプロテクト受信機と、
を有することを特徴とする請求項９記載のシステム。
【請求項１５】
前記スイッチが、２×１スイッチより成る
ことを特徴とする請求項９記載のシステム。
【請求項１６】
前記ノードが、光監視信号を前記光トラフィックから取り出すタップを有する
ことを特徴とする請求項９記載のシステム。
【請求項１７】
ノードで光トラフィックを通信するシステムであって、
ネットワーク上で光トラフィックを受信する手段と、
前記光トラフィックを、該光トラフィックの構成成分信号に分離する手段と、
前記構成成分信号の少なくとも１つを分岐信号及び継続信号に分ける手段と、
前記分岐信号を受信及び復元する手段と、
前記ネットワークでの通信用に、挿入信号及び前記継続信号の間で選択を行う手段と、
前記ネットワークでの通信用に、選択された信号を他の信号と多重する手段と、
を有することを特徴とするシステム。
【請求項１８】
光トラフィックを構成成分信号に分離する手段が、前記光トラフィックを構成波長成分に分離する手段を有する
ことを特徴とする請求項１７記載のシステム。
【請求項１９】
前記光トラフィックを分離する手段が、前記光トラフィックをデマルチプレクサカードで分離する手段より成り、
前記構成成分信号の少なくとも１つを分ける手段が、前記構成成分信号の少なくとも１つを前記デマルチプレクサカードで分離する手段より成る
ことを特徴とする請求項１７記載のシステム。
【請求項２０】
前記分岐信号を第１分岐信号及び第２分岐信号に分岐する手段と、
前記第１分岐信号をワーク受信機で受信する手段と、
前記第２分岐信号をプロテクト受信機で受信する手段と、
を有することを特徴とする請求項１７記載のシステム。
【発明の詳細な説明】
【技術分野】
【０００１】
本発明は一般に光通信システムに関連し、特にノードにおける光トラフィックを通信するための方法及びシステムに関する。
【背景技術】
【０００２】
電気通信システム、ケーブルテレビジョンシステム及びデータ通信システムは、遠隔した地点間で大量の情報を速やかに伝送するために光ネットワークを利用する。光ネットワークでは情報は光ファイバにより光信号形式で伝送される。光ファイバは長距離にわたって非常に低損失で信号を伝送できるガラス細線より成る。
【０００３】
光ネットワークは伝送容量を増やすために波長分割多重(WDM)又は高密度波長分割多重（DWDM）をしばしば利用する。WDM及びDWDMネットワークでは、多数の光チャネルが各ファイバの中で異なる波長で又は周波数で伝送される。ネットワーク容量は、各ファイバ中の、波長数、即ちチャネル数や、チャネルの帯域、又はサイズに基づいて規定できる。
【０００４】
光ネットワークはネットワーク上のノードで光トラフィックを挿入(add)及び分岐(drop)する。トラフィックは挿入スイッチ又はポートで光ネットワークに挿入され、その挿入スイッチ等は、ネットワークで現在通信している光トラフィックを又はローカルインターフェースからネットワークに挿入しようとする光トラフィック若しくはクライアント信号を、他のノードに選択的に伝送する。
【発明の開示】
【発明が解決しようとする課題】
【０００５】
本発明の課題は、従来の方法及びシステムに関連する問題や欠点の少なくとも一部を実質的に解消又は軽減する、ノードで光トラフィックを通信するための方法及びシステムを提供することである。
【課題を解決するための手段】
【０００６】
本発明の特定の形態によれば、ノードで光トラフィックを通信する方法は、ネットワーク上で光トラフィックを受信するステップと、前記光トラフィックを、該光トラフィックの構成成分信号に分離するステップとを含む。本方法は、前記構成成分信号の少なくとも１つを分岐信号及び継続信号に分けるステップと、前記分岐信号を受信及び復元するステップとを含む。本方法は、前記ネットワークでの通信用に、挿入信号及び前記継続信号の間で選択を行うステップと、前記ネットワークでの通信用に、選択された信号を他の信号と多重するステップとを有する。
【０００７】
光トラフィックを構成成分信号に分離するステップは、前記光トラフィックを約４０個の構成成分波長のような構成波長成分に分離するステップを有する。前記光トラフィックを分離するステップは、前記光トラフィックをデマルチプレクサカードで分離するステップを有し、前記構成成分信号の少なくとも１つを分けるステップは、前記構成成分信号の少なくとも１つを前記デマルチプレクサカードで分離するステップを有してもよい。本方法は、前記分岐信号を第１分岐信号及び第２分岐信号に分岐するステップと、前記第１分岐信号をワーク受信機で受信するステップと、前記第２分岐信号をプロテクト受信機で受信するステップとを有してもよい。挿入信号及び前記継続信号の間で選択を行うステップは、２×１スイッチにより挿入信号及び前記継続信号の間で選択を行うステップを有してもよい。
【０００８】
別の形態によれば、ノードで光トラフィックを通信するシステムは、ネットワーク上で光トラフィックを受信するノードと、前記ノードで受信された前記光トラフィックを、該光トラフィックの構成成分信号に分離するデマルチプレクサとを含む。本システムは前記デマルチプレクサに結合されるスプリッタを含む。スプリッタは、前記構成成分信号の少なくとも１つを分岐信号及び継続信号に分ける。本システムは前記スプリッタに結合された受信機を含む。受信機は前記分岐信号を受信及び復元する。本システムは前記スプリッタに結合されたスイッチを含む。スイッチは前記ネットワークでの通信用に、挿入信号及び前記継続信号の間で選択を行う。本システムは前記スイッチに結合されたマルチプレクサを含む。マルチプレクサは、前記ネットワークでの通信用に、選択された信号を他の信号と多重する。
【０００９】
前記デマルチプレクサ及び前記スプリッタは、デマルチプレクサカードに設けられてもよい。前記スプリッタは、アレイウエーブガイド技術又は薄膜フィルタを用いて、前記構成成分信号の少なくとも１つを前記デマルチプレクサカードで分岐信号及び継続信号に分離してもよい。本システムは前記スプリッタに結合された第２スプリッタを含んでよい。第２スプリッタは前記分岐信号を第１分岐信号及び第２分岐信号に分岐する。本システムは前記第２スプリッタに結合されたワーク受信機を含んでもよい。ワーク受信機は前記第１分岐信号受信する。本システムは前記第２スプリッタに結合されたプロテクト受信機を含んでもよい。プロテクト受信機は前記第２分岐信号を受信する。
【発明を実施するための最良の形態】
【００１０】
本発明の特定の形態による技術的利点はノードにおける光トラフィック通信方法を含み、そのノードは、トラフィックがネットワークに付加されなおすスイッチに先行する、マルチプレクスされた光トラフィックを分離するスプリッタを利用する。これは、トラフィックがネットワークに挿入され直す同じ場所でより複雑なスイッチの必要性を減らし、そのようなスイッチを利用することに起因する干渉を減らす。挿入スイッチとは別の場所でトラフィックを分岐することで、光信号を分岐及び挿入する独自の物理的場所を用意し、使用されるスイッチの複雑さを更に軽減する。更に、スイッチとは別個のスプリッタを備えることで、２つの要素何れの不具合にも対処しやすくする。従ってノード及びその構成要素を製造するのに要する労力及び費用が削減される。
【００１１】
他の技術的利点は以下の説明、図面及び特許請求の範囲から当業者には充分に明瞭になるであろう。なお、特定の利点が挙げられたが、様々な形態は挙げられた利点の全部又は一部を含んでよいし、全く含まなくてもよい。
【００１２】
本発明の特定の実施例及びその利点を更に完全に理解するため、添付図面に関連する詳細な説明が以下になされる。
【実施例１】
【００１３】
図１は特定の実施例による光ネットワーク１００を示し、光ネットワークは光リンク１０２を用いてネットワークノード２００間で情報を通信する。一般的に光ネットワーク１００は、ネットワーク要素２００間で光信号形式で情報を通信するハードウエア及び／又はソフトウエアの如何なる集まりをも表現する。特定の実施例では、光ネットワーク１００は複数のチャネル（各チャネルは異なる波長を利用する）で情報を通信するために、波長分割多重（WDM）方式又は高密度波長分割多重（DWDM）方式を利用する。概してノード２００ａ，２００ｂ，２００ｃ，２００ｄと言及されるネットワークノード２００は、光ネットワーク１００で搬送される情報を光信号形式で受信し、その情報を適切な何らかの形式で処理し、及び／又は光ネットワーク１００に情報を伝送する如何なるハードウエア及び／又はソフトウエアをも表現する。
【００１４】
ノード２００の各々はリンク１０２に及びそこからトラフィックを受動的に挿入及び分岐する。特に各ノード２００はローカルクライアントからトラフィックを受信し、そのトラフィックをリンク１０２に挿入する。また、各ノード２００はリンク１０２からトラフィックを受信し、ローカルクライアント宛のトラフィックを分岐する。本明細書及び特許請求の範囲を通じて使用されるように、「各」なる用語は特定された項目の少なくとも部分集合の１つ１つ全てを意味する。トラフィックを挿入及び分岐する際に、ノード２００はクライアントからのデータをリンク１０２での伝送用に合成し、クライアント宛のデータチャネルをリンク１０２から分岐する。ローカルクライアントへの伝送にトラフィックを利用可能にすることで、トラフィックは分岐されてもよい。従ってトラフィックは分岐され且つ依然としてリンクで巡回し続けてもよい。ノード２００はトラフィックのチャネルスペーシング（間隔又は帯域）によらずリンク１０２でトラフィックを通信する−これはノード２００で「フレキシブル」なチャネル間隔をもたらす。ノード２００は、マルチプレクサ、デマルチプレクサ、光スイッチ、エルビウムドープファイバ増幅器（EDFA）のような増幅器、光電変換器又は光信号を処理する他の適切な如何なるハードウエア及び／又はソフトウエアをも含んでよい。
【００１５】
リンク１０２はネットワークノード２００間で光信号１０４を通信する適切な如何なるリンクをも表現する。そしてリンク１０２は、シングルモードファイバ、分散補償ファイバ、分散シフトファイバ、非ゼロ分散シフトファイバ等のような光ファイバを含む如何なる光通信媒体を含んでもよい。リンク１０２は、EDFA、リピータ又は光−電気−光（OEO）変換器等のような適切な他の如何なる光要素を含んでもよい。リンク１０２は、フレームリレー、非同期伝送モード（ATM）、同期光ネットワーク（ソネット：SONET）又は適切な他の何らかの通信方法等を含む適切な如何なるフォーマットやプロトコルを用いて情報を搬送してもよい。リンク１０２はノード２００間で情報を通信するのに必要な如何なる信号変換及び／又はプロトコル変換をも実行してよい。リンク１０２は単方向性でも双方向性でもよい。多くのネットワークでは、光ネットワーク１００を時計回りに伝搬する「東回り」経路と、光ネットワーク１００を反時計回りに情報を伝送する「西回り」経路とがある。各リンク１０２は光信号１０４を通信する１以上の光ファイバその他の媒体を含み、光ネットワーク１００のノード２００はリング、スター、リニアその他の適切なネットワークコンフィギュレーションを含む適切な如何なるコンフィギュレーションに構成されてもよい。特定の実施例では、ネットワーク１００は中継回線冗長機能(OUPSR)ネットワークでもよく、そのネットワークでは第１ノード２００から第２ノード２００へ送信されたトラフィックは双方のリンク１０２で通信される。そのような双方向通信を利用すると、リンク１０２の一方に対するリンク故障又は他の不具合の際に、少なくとも他のリンク１０２を介して或るノード２００から別のノードへのトラフィックを取得できる。
【００１６】
特定の実施例では、リンク１０２は光信号１０４を搬送し、その光信号は図１に示される形式の波長スペクトルを有する。ディジタルだけでなくアナログの信号が光リンク１０２で通信されてもよい。信号１０４では光情報はいくつもの異なる波長１０８に分けられる。各波長１０８は特定のチャネルを表す。リンク１０２で搬送される情報は特定のどの波長１０８及び光信号１０４に割り当てられてもよい。適切な装置を用いることで、波長１０８は挿入され、分岐され、切り替えられ、或いは別々に処理される。信号１０４は光監視チャネル(OSC)を含み、OSCはネットワーク１００の監視に使用される情報を搬送するよう割り当てられた１以上の波長を含む。例えばOSCはチャネル１０８のステータス情報を通信し、その情報はチャネル１０８の各々が用意されるか否か及びチャネル１０８の通信で検出されたエラーの存否を示す。ネットワーク管理情報を搬送するOSCにいくつでも波長が割り当てられてもよい。
【００１７】
図２は一実施例によるノード２００の詳細を示すブロック図である。ノード２００はデマルチプレクサ要素２０２、マルチプレクサ要素２０４、ノード要素２０６，２０８及び／又は送信／受信要素２１０を含む。図示の例ではノード２０６，２０８は同じ又は同様な要素を含み、各自の方向で通信される光トラフィックに対して同様な機能を発揮する。一実施例では、要素２０２，２０４，２０６，２０８及び２１０に加えて要素内の構成要素も光ファイバリンクで相互接続されてよい。特定の実施例では相互接続は光バックプレーンでなされる。適切な他の如何なる相互接続が代替的に使用されてもよい。更にそのような要素の各々は、ノード２００のカード棚中のユニットにおける１以上の個別のカード又はプラグとして実現されてもよい。カード棚の実施例ではコネクタが使用され、不良要素を費用効果的に置換可能にする。
【００１８】
デマルチプレクサ要素２０２の各々は光増幅器２１２及びデマルチプレクサ２１４を含む。デマルチプレクサ要素２０２の各々はノード２００に結合された光リンク１０２から光トラフィックを受信する。図示の例では、デマルチプレクサ要素２０２ａは或る方向で光リンク１０２ａに沿って伝搬する光トラフィックを受信し、デマルチプレクサ要素２０２ｂは別の方向で光リンク１０２ｂに沿って伝搬する光トラフィックを受信する。デマルチプレクサ２１４は受信した光トラフィックを構成要素の波長又はチャネルに分離する。特定の実施例では、デマルチプレクサ２１４は光トラフィックを４０個の個別的なチャネルに分離する。図示の例は、光リンク２１５ａ，２１５ｂで分離された或るチャネルの光トラフィックに対してデマルチプレクサ２１４ａ，２１４ｂ各々で何が起こるかを具体的に示すが、光リンクで分離された他のチャネルの光トラフィックも同様な要素に遭遇して同様な処理が進むことが理解されるべきである。図示されるように、デマルチプレクサ要素２０２の各々は、デマルチプレクサ２１４に遭遇する前にOSC信号を分離するためのOSCタップ２１９も含む。
【００１９】
光リンク２１５ａに沿って伝搬するトラフィックはデマルチプレクサ要素２０２ａの後にノード要素２０６に遭遇し、光リンク２１５ｂに沿って伝搬するトラフィックはデマルチプレクサ要素２０２ｂの後にノード要素２０８に遭遇する。ノード要素２０６では光リンク２１５に沿って伝搬するトラフィックはスプリッタ２１６に遭遇し、スプリッタはリンク２１５ａに沿って伝搬するトラフィックを他のスプリッタ２１８に分岐させ且つノード要素２０８にも続かせる。ここで使用されるように「スプリッタ」なる用語は適切な如何なるカプラ、スプリッタ、タップ、コンバイナその他の要素をも含んでよく、それらは１以上の入力信号を受信し、その入力信号を１以上の出力信号に分割又は合成することができる。図示の例では、スプリッタ２１６は分岐カプラより成り、デマルチプレクサ要素からの信号を概して等しい２つの信号に受動的に分割し、その信号は：他のノード要素に転送されるスルー信号と、関連する送信／受信要素に転送される分岐信号である。分岐信号は内容的に同一又は実質的に同一な複製であるが、パワー及び／又はエネルギレベルは異なってよい。特定の実施例では、分岐信号はスプリッタに入る当初信号のパワーの約１０％を有するが；他の実施例では分岐信号は当初信号のパワーの別のパーセンテージを有してよい。
【００２０】
スプリッタ２１８からのトラフィックは送信／受信要素２１０ａ，２１０ｂに伝搬する。  他の実施例はスプリッタ２１８の代わりにスイッチのような他の要素を使用してもよいことが理解されるべきである。特定の実施例は複数の送信／受信要素を含まず、その場合スプリッタ２１８は実装又は使用されなくてよい。
【００２１】
光リンク２１５ａに沿ってスプリッタ２１６から伝送し続けるトラフィックはノード要素２０８に続き、２×１光スイッチ２２４に遭遇する。光スイッチ２２４は、光リンク２１５ａ又は光リンク２１７ａからトラフィックを選択し、マルチプレクサ要素２０４ａに続ける。光リンク２１７ａからのトラフィックは挿入信号を有し、挿入信号は、送信／受信要素２１０からネットワークにユーザが挿入しようとするものである。光リンク２１７ａのトラフィックは、送信／受信要素２１０双方に結合された２×１スイッチ２２６から来ている。スイッチ２２６は送信／受信要素２１０ａ又は２１０ｂから送信された一方のトラフィックを選択し、光リンク２１７ａに沿って継続させる。上述したように、特定の実施例は複数の送信／受信要素２１０を含まず、その場合２×１スイッチ２２６は実装又は使用されなくてよい。以下に説明されるスイッチ２２４及びスイッチ２３４を含む特定の実施例のスイッチは再構成可能であり、そのスイッチの状態は、特別な必要性に応じて継続する信号を又は挿入信号を通過させるように変更されてよいことが理解されるべきである。例えば、光リンク２１５ａで分離されたチャネル中に、或る信号を（ネットワークに）挿入することをユーザが希望する場合には、ユーザは、光リンク２１７ａの挿入信号をマルチプレクサ２２８ａに伝送するように、スイッチ２２４の向きを変更してもよい。
【００２２】
スイッチ２２４により伝搬するよう選択されたトラフィックはマルチプレクサ要素２０４ａのマルチプレクサ２２８ａに続き、そのトラフィックは、他のチャネル又は波長の他の光トラフィックと多重され、１つのトラフィックストリームにされる。マルチプレクサ要素２０４ａは光増幅器２３０及びOSCタップ２３２も含み、OSC信号は光リンク１０２ａに挿入され直す。
【００２３】
デマルチプレクサ２０２ａからの光リンク２１５ａに沿うトラフィックと同様ではあるが反対向きに、光リンク２１５ｂに沿って伝搬する或るチャネルの分離されたトラフィックはスプリッタ２２０に遭遇し、スプリッタはそのようなトラフィックの複製を別のスプリッタ２２２に分岐する。他の実施例はスプリッタ２２２の代わりにスイッチのような他の要素を利用してよいことが理解されるべきである。スプリッタ２２２からのトラフィックは送信／受信要素２１０ａ，２１０ｂに伝搬する。上述したように、特定の実施例は複数の送信／受信要素２１０を含まず、その場合スプリッタ２２２は実装又は使用されなくてよい。
【００２４】
光リンク２１５ｂに沿ってスプリッタ２２０から伝送し続けるトラフィックはノード要素２０６に続き、２×１光スイッチ２３４に遭遇する。光スイッチ２３４は、光リンク２１５ｂ又は光リンク２１７ｂからトラフィックを選択し、マルチプレクサ要素２０４ｂに続ける。光リンク２１７ｂのトラフィックは、送信／受信要素２１０双方に結合された２×１スイッチ２３６から来ている。スイッチ２３６は送信／受信要素２１０ａ又は２１０ｂから送信された一方のトラフィックを選択し、光リンク２１７ｂに沿って継続させる。上述したように、特定の実施例は複数の送信／受信要素２１０を含まず、その場合２×１スイッチ２３６は実装又は使用されなくてよい。
【００２５】
スイッチ２３４により伝搬するよう選択されたトラフィックはマルチプレクサ要素２０４ｂのマルチプレクサ２２８ｂに続き、そのトラフィックは、他のチャネル又は波長の他の光トラフィックと多重され、１つのトラフィックストリームにされる。マルチプレクサ要素２０４ｂは光増幅器２３０及びOSCタップ２３２も含み、OSC信号は光リンク１０２ｂに挿入され直す。
【００２６】
送信／受信要素２１０の各々は、スイッチ２４０、分配スプリッタ２４２、送信機２４４、フィルタ２４６及び受信機２４８を含む。送信／受信要素２１０の各々は、ローカルクライアント、加入者、他のネットワーク又は他の何らかの適切なソースから他のリンク１０２へ、ローカルに導出された挿入トラフィックを送信し、ローカルクライアント、加入者、他のネットワーク又は他の何らかの適切な宛先用にローカルに宛てられた分岐トラフィックを光リンク１０２から受信する。２つの送信／受信要素２１０はノード２００に対するワーク及びプロテクト機能を付加するよう描かれている（一方はワーク送信機／受信機として機能し、他方はプロテクト送信機／受信機として機能する。）。送信／受信要素２１０は光リンク２１５ａ，２１５ｂのトラフィックを処理する。デマルチプレクサ要素２０２及びマルチプレクサ要素２０４間の他の光リンクで搬送される他のチャネルのトラフィック用に、他の送信／受信要素が使用されてもよい。様々な実施例に関してここで説明される送信／受信要素は、他の機器に設けられてもよいし、ここで説明される素子とは別の場所に用意されてもよいことが理解されるべきである。
【００２７】
スイッチ２４０の各々は、光リンク２１５ａ，２１５ｂから光トラフィックを受信し、受信したトラフィックの一方をフィルタ２４６で受信するように選択的に通す。各フィルタは異なるチャネルを各自に関連する受信機２４８に転送可能にするように、フィルタ２４６が実現されてよい。分配スプリッタ２４２は、光リンク１０２ａ，１０２ｂでの通信用に、送信機２４４から光リンク２１５ａ，２１５ｂに送信される光トラフィックの複製を分配する。他の実施例では送信／受信要素は、光ネットワークに及びそこから光信号を送信及び受信する他のタイプの光素子を含んでよいことが、理解されるべきである。
【００２８】
既に図示及び説明されたように、光リンク２１５ａに沿って伝搬する分離されたトラフィックは、ノード要素２０６のスプリッタ２１６で分岐される。送信／受信要素２１０によりトラフィックがネットワークに挿入され直す場合に、スイッチ２２４に先行してそのようなトラフィックを分けることは、トラフィックがネットワークに挿入され直すのと同じ場所でより複雑なスイッチを準備する必要性を削減し、そのようなスイッチを利用することに起因する干渉を減らす。例えば、１つのスイッチで分岐及び挿入機能をもたらすように、２×１スイッチ２２４の代わりに２×２スイッチを利用すると、相互干渉を増やし、ネットワーク内で別の問題を引き起こすおそれがある。しかしながら、挿入スイッチとは別の場所でトラフィックを分岐することで、光信号を分岐及び挿入するための独自の物理的場所を用意し、使用されるスイッチの複雑さを更に減らす。更に上述したように受動的な分岐カプラが信号を分岐するために使用され、残りの信号が通過用に使用されることを可能にする。
【００２９】
上述したように、スイッチ２２４は、マルチプレクサ２２８につなぐために、送信／受信要素２１０の一方から挿入されたトラフィックと、光リンク２１５ａに沿うデマルチプレクスされたトラフィックとの間で選択を行う。光リンク２１５ａに沿って伝搬する分離されたトラフィックと同じチャネルに、ノード２００でトラフィックを（送信／受信要素２１０により）挿入及び分岐することをクライアントが希望する場合には、光リンク２１７ａからのトラフィックがネットワークでの通信用にマルチプレクサ２２８ａに伝搬するようにスイッチ２２４は設定されてもよい。しかしながら、光リンク２１５ａに沿って伝搬する分離されたトラフィックと同じチャネルに、どのクライアントトラフィックも挿入されないならば、光リンク２１５ａに沿って伝搬するトラフィックが光ネットワークの通信用にマルチプレクサ２２８ａに続くようにスイッチ２２４は設定されてもよい。
【００３０】
図３は一実施例によるノード３００の詳細を示すブロック図である。ノード３００は、デマルチプレクサ要素３０２、マルチプレクサ要素３０４、ノード要素３０６，３０８及び送信／受信要素３１０を含む。図示の簡明化のため、ノード３００は或る方向で光トラフィックを搬送する光リンク３０１に結合されるが；ノード３００は反対方向に光トラフィックを搬送する光リンクに結合されてもよい。光リンク３０１で搬送されるトラフィックとは逆向きにトラフィックを搬送する光リンクに及びそこから光トラフィックを挿入及び分岐する他の要素を、ノード３００は含んでもよい。
【００３１】
デマルチプレクサ要素３０２は、光増幅器３１２、デマルチプレクサ３１４及びOSCタップ３１９を含み、OSCタップはデマルチプレクサ３１４に遭遇する前にOSC信号を分ける。図２のノード２００の場合と同様に、ノード３００に関する図３は光リンク３１５に関して分離された或るチャネルの光トラフィックに何が起こるかを示す。他のリンクに関して分離された他のチャネルの光トラフィックも同様な要素に遭遇し、同様な処理がなされる。
【００３２】
光リンク３１５に分離された光トラフィックはスプリッタ３１６に遭遇し、図示の例ではスプリッタは光トラフィックを受動的に分岐させ且つ継続する。スプリッタ３１６は図２のノード２００中のスプリッタ２１６と機能的に同様であるが；スプリッタ３１６は、別個のノード要素又はスイッチカードに設けられるのではなく、ノード３００のデマルチプレクサ要素３０２に設けられている。特定の実施例では、スプリッタ３１６は、アレイウエーブガイド技法を用いて、薄膜フィルタを用いて又は他の技術や素子を用いて、デマルチプレクサ要素３０２上に実現されてよい。
【００３３】
スプリッタ３１６で分岐されたトラフィックは、送信／受信要素３１０双方に伝送されるようにスプリッタ３１８で分割される。特定の実施例は複数の送信／受信要素を含まず、その場合にスプリッタ３１８は実現又は使用されなくてよい。
【００３４】
スプリッタ３１６から継続するトラフィックはノード要素３０８で２×１スイッチ３２４に伝搬する。光スイッチ３２４は、マルチプレクサ要素３０４に続くように、光リンク３１５又は光リンク３１７からトラフィックを選択する。光リンク３１７のトラフィックは、送信／受信要素３１０の双方に結合された２×１スイッチ３２６から到来する。スイッチ３２６は、光リンク３１７に沿って続くように、送信／受信要素３１０ａ又は３１０ｂの一方から送信されたトラフィックを選択する。上述したように特定の実施例は複数の送信／受信要素３１０を含まず、その場合には２×１スイッチ３２６は実現又は使用されなくてよい。
【００３５】
スイッチ３２４を通過するよう選択されたトラフィックは、マルチプレクサ要素３０４のマルチプレクサ３２８に続き、トラフィックは他のチャネル又は波長の他の光トラフィックと多重され、１つのトラフィックストリームにされる。マルチプレクサ要素３０４は光増幅器３３０及びOSCタップ３３２を含み、OSC信号は光リンク３０１に挿入され直す。
【００３６】
ノード３００は、光リンク３０１で伝送されるトラフィックと反対向きに伝送されるトラフィックを挿入及び分岐する付加的な同様な要素を含んでもよい。更にノード３００は、デマルチプレクサ３１４から光リンク３１５で伝送されるチャネル又は波長とは異なる分離後のチャネルでトラフィックを処理する付加的な要素を含んでもよい。送信／受信要素３１０は図２の送信／受信要素２１０と機能的に同様であり、同様な要素を含んでよい。
【００３７】
上述したように、ノード３００は図２のノード２００と同様であるが、分離されたトラフィックが、後続のノード要素又はカードではなく、（スイッチ３１６を用いて）デマルチプレクサ要素で分岐される点が異なる。しかしながらノード３００は図２のノード２００と同様な恩恵をもたらし、トラフィックがネットワークに挿入されるスイッチに先行して光トラフィックを分岐することで、トラフィックがネットワークに挿入され直すのと同じ場所でより複雑なスイッチを準備する必要性を削減し、そのようなスイッチを利用することに起因する干渉を減らす。挿入スイッチとは別の場所でトラフィックを分岐することで、光信号を分岐及び挿入するための独自の物理的場所を用意する。
【００３８】
図４は特定の実施例によるノードにおける光トラフィック通信方法を示すフローチャートである。本方法はステップ４００から始まり、光トラフィックがネットワークのノードで受信される。ステップ４０２では、光トラフィックは例えば構成波長成分又はチャネルのような構成成分信号に分離される。特定の実施例では光トラフィックは約１００ＧＨｚスペーシングで約４０個の波長成分に分離される。
【００３９】
ステップ４０４では構成成分信号の少なくとも１つがスプリッタで分岐信号及び継続信号に分割される。分岐信号は構成成分信号のパワーの約１０％を有する。ステップ４０６では分岐信号がクライアントノードで使用するために受信され復元される。特定の実施例では分岐信号は更に分けられ、ワーク受信機及びプロテクト受信機に伝送される。プロテクト受信機はワーク受信機の不具合時に使用される。一実施例では、プロテクト受信機はワーク受信機の不具合時にとどまらず、ワーク受信機と並列的に二次的受信機として使用されてもよい。ステップ４０８ではネットワーク伝送用にスイッチが挿入信号及び継続信号の間で選択を行う。ステップ４０４で少なくとも１つの構成成分信号を分岐信号及び継続信号に分岐することは、ステップ４０２のデマルチプレクスと同じカード又はプラグインユニットでなされてもよいことが理解されるべきである。ステップ４０４のそのような分割は、ステップ４０２のデマルチプレクスが行われるカード又はプラグインユニットと、ステップ４０８のスイッチ選択が行われるカード又はプラグインユニットとの間に設けられたカード又はプラグインユニットでなされてもよい。ステップ４１０では選択された信号がネットワーク伝送用に他の信号と多重される。
【００４０】
図４に示されるステップの一部は適切ならば結合され、修正され又は削除されてもよく、付加的なステップがフローチャートに追加されてもよい。更にステップ−複数−は本発明の範囲から逸脱しない適切な如何なる順序で実行されてもよい。
【００４１】
以上本発明が特定の実施例を参照しながら詳細に説明されてきたが、本発明の精神及び範囲から逸脱せずに、様々な他の変更、置換及び代替がそれらになされてもよいことが理解されるべきである。例えば本発明はスイッチカード及び他のノード要素内に含まれた多数の要素に関連して説明されてきたが、特定の要請に応じて他の異なる要素が使用されてもよい。本発明はこれらの要素だけでなくそれらの内部要素の配置における多大な柔軟性をもたらす。
【００４２】
多数の他の変更、置換、変形、代替及び修正は当業者に確認されるであろうし、本発明はそのような変更、置換、変形、代替及び修正を添付の特許請求の範囲及び精神の範疇に包含することが意図される。更に本発明は特許請求の範囲に反映されていない明細書中のどの文言によってもどのようにも限定されないように意図される。
【図面の簡単な説明】
【００４３】
【図１】一実施例による光ネットワークを示す図である。
【図２】光トラフィックを分岐するスプリッタを備えた特定の実施例によるノードを示す図である。
【図３】デマルチプレクサ要素で光トラフィックを分岐するスプリッタを備えた別の実施例によるノードを示す図である。
【図４】特定の実施例によるノードにおける光トラフィック通信方法を示す図である。
【図１】
2007514380.tif 000003
【図２】
2007514380.tif 000004
【図３】
2007514380.tif 000005
【図４】
2007514380.tif 000006
【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
ノードで光トラフィックを通信する方法であって、
ネットワーク上で光トラフィックを受信するステップと、
前記光トラフィックを、該光トラフィックの構成成分信号に分離するステップと、
前記構成成分信号の少なくとも１つを分岐信号及び継続信号に分けるステップと、
前記分岐信号を受信及び復元するステップと、
前記ネットワークでの通信用に、挿入信号及び前記継続信号の間で選択を行うステップと、
前記ネットワークでの通信用に、選択された信号を他の信号と多重するステップと、
を有することを特徴とする方法。
【請求項２】
前記光トラフィックを分離するステップが、前記光トラフィックをデマルチプレクサカードで分離するステップを有し、
前記構成成分信号の少なくとも１つを分けるステップが、前記構成成分信号の少なくとも１つを前記デマルチプレクサカードで分離するステップを有する
ことを特徴とする請求項１記載の方法。
【請求項３】
前記分岐信号を第１分岐信号及び第２分岐信号に分岐するステップと、
前記第１分岐信号をワーク受信機で受信するステップと、
前記第２分岐信号をプロテクト受信機で受信するステップと、
を有することを特徴とする請求項１記載の方法。
【請求項４】
挿入信号及び前記継続信号の間で選択を行うステップが、２×１スイッチにより挿入信号及び前記継続信号の間で選択を行うステップを有する
ことを特徴とする請求項１記載の方法。
【請求項５】
ノードで光トラフィックを通信するシステムであって、
ネットワーク上で光トラフィックを受信するノードと、
前記ノードで受信された前記光トラフィックを、該光トラフィックの構成成分信号に分離するデマルチプレクサと、
前記デマルチプレクサに結合され、前記構成成分信号の少なくとも１つを分岐信号及び継続信号に分けるスプリッタと、
前記スプリッタに結合され、前記分岐信号を受信及び復元する受信機と、
前記スプリッタに結合され、前記ネットワークでの通信用に、挿入信号及び前記継続信号の間で選択を行うスイッチと、
前記スイッチに結合され、前記ネットワークでの通信用に、選択された信号を他の信号と多重するマルチプレクサと、
を有することを特徴とするシステム。
【請求項６】
ノードで光トラフィックを通信するシステムであって、
ネットワーク上で光トラフィックを受信する手段と、
前記光トラフィックを、該光トラフィックの構成成分信号に分離する手段と、
前記構成成分信号の少なくとも１つを分岐信号及び継続信号に分ける手段と、
前記分岐信号を受信及び復元する手段と、
前記ネットワークでの通信用に、挿入信号及び前記継続信号の間で選択を行う手段と、
前記ネットワークでの通信用に、選択された信号を他の信号と多重する手段と、
を有することを特徴とするシステム。
【請求項７】
前記分岐信号を第１分岐信号及び第２分岐信号に分岐する手段と、
前記第１分岐信号をワーク受信機で受信する手段と、
前記第２分岐信号をプロテクト受信機で受信する手段と、
を有することを特徴とする請求項６記載のシステム。
【手続補正２】
【補正対象書類名】明細書
【補正対象項目名】全文
【補正方法】変更
【補正の内容】
【発明の詳細な説明】
【技術分野】
【０００１】
本発明は一般に光通信システムに関連し、特にノードにおける光トラフィックを通信するための方法及びシステムに関する。
【背景技術】
【０００２】
電気通信システム、ケーブルテレビジョンシステム及びデータ通信システムは、遠隔した地点間で大量の情報を速やかに伝送するために光ネットワークを利用する。光ネットワークでは情報は光ファイバにより光信号形式で伝送される。光ファイバは長距離にわたって非常に低損失で信号を伝送できるガラス細線より成る。
【０００３】
光ネットワークは伝送容量を増やすために波長分割多重(WDM)又は高密度波長分割多重（DWDM）をしばしば利用する。WDM及びDWDMネットワークでは、多数の光チャネルが各ファイバの中で異なる波長で又は周波数で伝送される。ネットワーク容量は、各ファイバ中の、波長数、即ちチャネル数や、チャネルの帯域、又はサイズに基づいて規定できる。
【０００４】
光ネットワークはネットワーク上のノードで光トラフィックを挿入(add)及び分岐(drop)する。トラフィックは挿入スイッチ又はポートで光ネットワークに挿入され、その挿入スイッチ等は、ネットワークで現在通信している光トラフィックを又はローカルインターフェースからネットワークに挿入しようとする光トラフィック若しくはクライアント信号を、他のノードに選択的に伝送する。
【発明の開示】
【発明が解決しようとする課題】
【０００５】
本発明の課題は、従来の方法及びシステムに関連する問題や欠点の少なくとも一部を実質的に解消又は軽減する、ノードで光トラフィックを通信するための方法及びシステムを提供することである。
【課題を解決するための手段】
【０００６】
本発明の特定の形態によれば、ノードで光トラフィックを通信する方法は、ネットワーク上で光トラフィックを受信するステップと、前記光トラフィックを、該光トラフィックの構成成分信号に分離するステップとを含む。本方法は、前記構成成分信号の少なくとも１つを分岐信号及び継続信号に分けるステップと、前記分岐信号を受信及び復元するステップとを含む。本方法は、前記ネットワークでの通信用に、挿入信号及び前記継続信号の間で選択を行うステップと、前記ネットワークでの通信用に、選択された信号を他の信号と多重するステップとを有する。
【０００７】
光トラフィックを構成成分信号に分離するステップは、前記光トラフィックを約４０個の構成成分波長のような構成波長成分に分離するステップを有する。前記光トラフィックを分離するステップは、前記光トラフィックをデマルチプレクサカードで分離するステップを有し、前記構成成分信号の少なくとも１つを分けるステップは、前記構成成分信号の少なくとも１つを前記デマルチプレクサカードで分離するステップを有してもよい。本方法は、前記分岐信号を第１分岐信号及び第２分岐信号に分岐するステップと、前記第１分岐信号をワーク受信機で受信するステップと、前記第２分岐信号をプロテクト受信機で受信するステップとを有してもよい。挿入信号及び前記継続信号の間で選択を行うステップは、２×１スイッチにより挿入信号及び前記継続信号の間で選択を行うステップを有してもよい。
【０００８】
別の形態によれば、ノードで光トラフィックを通信するシステムは、ネットワーク上で光トラフィックを受信するノードと、前記ノードで受信された前記光トラフィックを、該光トラフィックの構成成分信号に分離するデマルチプレクサとを含む。本システムは前記デマルチプレクサに結合されるスプリッタを含む。スプリッタは、前記構成成分信号の少なくとも１つを分岐信号及び継続信号に分ける。本システムは前記スプリッタに結合された受信機を含む。受信機は前記分岐信号を受信及び復元する。本システムは前記スプリッタに結合されたスイッチを含む。スイッチは前記ネットワークでの通信用に、挿入信号及び前記継続信号の間で選択を行う。本システムは前記スイッチに結合されたマルチプレクサを含む。マルチプレクサは、前記ネットワークでの通信用に、選択された信号を他の信号と多重する。
【０００９】
前記デマルチプレクサ及び前記スプリッタは、デマルチプレクサカードに設けられてもよい。前記スプリッタは、アレイウエーブガイド技術又は薄膜フィルタを用いて、前記構成成分信号の少なくとも１つを前記デマルチプレクサカードで分岐信号及び継続信号に分離してもよい。本システムは前記スプリッタに結合された第２スプリッタを含んでよい。第２スプリッタは前記分岐信号を第１分岐信号及び第２分岐信号に分岐する。本システムは前記第２スプリッタに結合されたワーク受信機を含んでもよい。ワーク受信機は前記第１分岐信号受信する。本システムは前記第２スプリッタに結合されたプロテクト受信機を含んでもよい。プロテクト受信機は前記第２分岐信号を受信する。
【発明を実施するための最良の形態】
【００１０】
本発明の特定の形態による技術的利点はノードにおける光トラフィック通信方法を含み、そのノードは、トラフィックがネットワークに付加されなおすスイッチに先行する、マルチプレクスされた光トラフィックを分離するスプリッタを利用する。これは、トラフィックがネットワークに挿入され直す同じ場所でより複雑なスイッチの必要性を減らし、そのようなスイッチを利用することに起因する干渉を減らす。挿入スイッチとは別の場所でトラフィックを分岐することで、光信号を分岐及び挿入する独自の物理的場所を用意し、使用されるスイッチの複雑さを更に軽減する。更に、スイッチとは別個のスプリッタを備えることで、２つの要素何れの不具合にも対処しやすくする。従ってノード及びその構成要素を製造するのに要する労力及び費用が削減される。
【００１１】
他の技術的利点は以下の説明、図面及び特許請求の範囲から当業者には充分に明瞭になるであろう。なお、特定の利点が挙げられたが、様々な形態は挙げられた利点の全部又は一部を含んでよいし、全く含まなくてもよい。
【００１２】
本発明の特定の実施例及びその利点を更に完全に理解するため、添付図面に関連する詳細な説明が以下になされる。
【実施例１】
【００１３】
図１は特定の実施例による光ネットワーク１００を示し、光ネットワークは光リンク１０２を用いてネットワークノード２００間で情報を通信する。一般的に光ネットワーク１００は、ネットワーク要素２００間で光信号形式で情報を通信するハードウエア及び／又はソフトウエアの如何なる集まりをも表現する。特定の実施例では、光ネットワーク１００は複数のチャネル（各チャネルは異なる波長を利用する）で情報を通信するために、波長分割多重（WDM）方式又は高密度波長分割多重（DWDM）方式を利用する。概してノード２００ａ，２００ｂ，２００ｃ，２００ｄと言及されるネットワークノード２００は、光ネットワーク１００で搬送される情報を光信号形式で受信し、その情報を適切な何らかの形式で処理し、及び／又は光ネットワーク１００に情報を伝送する如何なるハードウエア及び／又はソフトウエアをも表現する。
【００１４】
ノード２００の各々はリンク１０２に及びそこからトラフィックを受動的に挿入及び分岐する。特に各ノード２００はローカルクライアントからトラフィックを受信し、そのトラフィックをリンク１０２に挿入する。また、各ノード２００はリンク１０２からトラフィックを受信し、ローカルクライアント宛のトラフィックを分岐する。本明細書及び特許請求の範囲を通じて使用されるように、「各」なる用語は特定された項目の少なくとも部分集合の１つ１つ全てを意味する。トラフィックを挿入及び分岐する際に、ノード２００はクライアントからのデータをリンク１０２での伝送用に合成し、クライアント宛のデータチャネルをリンク１０２から分岐する。ローカルクライアントへの伝送にトラフィックを利用可能にすることで、トラフィックは分岐されてもよい。従ってトラフィックは分岐され且つ依然としてリンクで巡回し続けてもよい。ノード２００はトラフィックのチャネルスペーシング（間隔又は帯域）によらずリンク１０２でトラフィックを通信する−これはノード２００で「フレキシブル」なチャネル間隔をもたらす。ノード２００は、マルチプレクサ、デマルチプレクサ、光スイッチ、エルビウムドープファイバ増幅器（EDFA）のような増幅器、光電変換器又は光信号を処理する他の適切な如何なるハードウエア及び／又はソフトウエアをも含んでよい。
【００１５】
リンク１０２はネットワークノード２００間で光信号１０４を通信する適切な如何なるリンクをも表現する。そしてリンク１０２は、シングルモードファイバ、分散補償ファイバ、分散シフトファイバ、非ゼロ分散シフトファイバ等のような光ファイバを含む如何なる光通信媒体を含んでもよい。リンク１０２は、EDFA、リピータ又は光−電気−光（OEO）変換器等のような適切な他の如何なる光要素を含んでもよい。リンク１０２は、フレームリレー、非同期伝送モード（ATM）、同期光ネットワーク（ソネット：SONET）又は適切な他の何らかの通信方法等を含む適切な如何なるフォーマットやプロトコルを用いて情報を搬送してもよい。リンク１０２はノード２００間で情報を通信するのに必要な如何なる信号変換及び／又はプロトコル変換をも実行してよい。リンク１０２は単方向性でも双方向性でもよい。多くのネットワークでは、光ネットワーク１００を時計回りに伝搬する「東回り」経路と、光ネットワーク１００を反時計回りに情報を伝送する「西回り」経路とがある。各リンク１０２は光信号１０４を通信する１以上の光ファイバその他の媒体を含み、光ネットワーク１００のノード２００はリング、スター、リニアその他の適切なネットワークコンフィギュレーションを含む適切な如何なるコンフィギュレーションに構成されてもよい。特定の実施例では、ネットワーク１００は中継回線冗長機能(OUPSR)ネットワークでもよく、そのネットワークでは第１ノード２００から第２ノード２００へ送信されたトラフィックは双方のリンク１０２で通信される。そのような双方向通信を利用すると、リンク１０２の一方に対するリンク故障又は他の不具合の際に、少なくとも他のリンク１０２を介して或るノード２００から別のノードへのトラフィックを取得できる。
【００１６】
特定の実施例では、リンク１０２は光信号１０４を搬送し、その光信号は図１に示される形式の波長スペクトルを有する。ディジタルだけでなくアナログの信号が光リンク１０２で通信されてもよい。信号１０４では光情報はいくつもの異なる波長１０８に分けられる。各波長１０８は特定のチャネルを表す。リンク１０２で搬送される情報は特定のどの波長１０８及び光信号１０４に割り当てられてもよい。適切な装置を用いることで、波長１０８は挿入され、分岐され、切り替えられ、或いは別々に処理される。信号１０４は光監視チャネル(OSC)を含み、OSCはネットワーク１００の監視に使用される情報を搬送するよう割り当てられた１以上の波長を含む。例えばOSCはチャネル１０８のステータス情報を通信し、その情報はチャネル１０８の各々が用意されるか否か及びチャネル１０８の通信で検出されたエラーの存否を示す。ネットワーク管理情報を搬送するOSCにいくつでも波長が割り当てられてもよい。
【００１７】
図２は一実施例によるノード２００の詳細を示すブロック図である。ノード２００はデマルチプレクサ要素２０２、マルチプレクサ要素２０４、ノード要素２０６，２０８及び／又は送信／受信要素２１０を含む。図示の例ではノード２０６，２０８は同じ又は同様な要素を含み、各自の方向で通信される光トラフィックに対して同様な機能を発揮する。一実施例では、要素２０２，２０４，２０６，２０８及び２１０に加えて要素内の構成要素も光ファイバリンクで相互接続されてよい。特定の実施例では相互接続は光バックプレーンでなされる。適切な他の如何なる相互接続が代替的に使用されてもよい。更にそのような要素の各々は、ノード２００のカード棚中のユニットにおける１以上の個別のカード又はプラグとして実現されてもよい。カード棚の実施例ではコネクタが使用され、不良要素を費用効果的に置換可能にする。
【００１８】
デマルチプレクサ要素２０２の各々は光増幅器２１２及びデマルチプレクサ２１４を含む。デマルチプレクサ要素２０２の各々はノード２００に結合された光リンク１０２から光トラフィックを受信する。図示の例では、デマルチプレクサ要素２０２ａは或る方向で光リンク１０２ａに沿って伝搬する光トラフィックを受信し、デマルチプレクサ要素２０２ｂは別の方向で光リンク１０２ｂに沿って伝搬する光トラフィックを受信する。デマルチプレクサ２１４は受信した光トラフィックを構成要素の波長又はチャネルに分離する。特定の実施例では、デマルチプレクサ２１４は光トラフィックを４０個の個別的なチャネルに分離する。図示の例は、光リンク２１５ａ，２１５ｂで分離された或るチャネルの光トラフィックに対してデマルチプレクサ２１４ａ，２１４ｂ各々で何が起こるかを具体的に示すが、光リンクで分離された他のチャネルの光トラフィックも同様な要素に遭遇して同様な処理が進むことが理解されるべきである。図示されるように、デマルチプレクサ要素２０２の各々は、デマルチプレクサ２１４に遭遇する前にOSC信号を分離するためのOSCタップ２１９も含む。
【００１９】
光リンク２１５ａに沿って伝搬するトラフィックはデマルチプレクサ要素２０２ａの後にノード要素２０６に遭遇し、光リンク２１５ｂに沿って伝搬するトラフィックはデマルチプレクサ要素２０２ｂの後にノード要素２０８に遭遇する。ノード要素２０６では光リンク２１５に沿って伝搬するトラフィックはスプリッタ２１６に遭遇し、スプリッタはリンク２１５ａに沿って伝搬するトラフィックを他のスプリッタ２１８に分岐させ且つノード要素２０８にも続かせる。ここで使用されるように「スプリッタ」なる用語は適切な如何なるカプラ、スプリッタ、タップ、コンバイナその他の要素をも含んでよく、それらは１以上の入力信号を受信し、その入力信号を１以上の出力信号に分割又は合成することができる。図示の例では、スプリッタ２１６は分岐カプラより成り、デマルチプレクサ要素からの信号を概して等しい２つの信号に受動的に分割し、その信号は：他のノード要素に転送されるスルー信号と、関連する送信／受信要素に転送される分岐信号である。分岐信号は内容的に同一又は実質的に同一な複製であるが、パワー及び／又はエネルギレベルは異なってよい。特定の実施例では、分岐信号はスプリッタに入る当初信号のパワーの約１０％を有するが；他の実施例では分岐信号は当初信号のパワーの別のパーセンテージを有してよい。
【００２０】
スプリッタ２１８からのトラフィックは送信／受信要素２１０ａ，２１０ｂに伝搬する。  他の実施例はスプリッタ２１８の代わりにスイッチのような他の要素を使用してもよいことが理解されるべきである。特定の実施例は複数の送信／受信要素を含まず、その場合スプリッタ２１８は実装又は使用されなくてよい。
【００２１】
光リンク２１５ａに沿ってスプリッタ２１６から伝送し続けるトラフィックはノード要素２０８に続き、２×１光スイッチ２２４に遭遇する。光スイッチ２２４は、光リンク２１５ａ又は光リンク２１７ａからトラフィックを選択し、マルチプレクサ要素２０４ａに続ける。光リンク２１７ａからのトラフィックは挿入信号を有し、挿入信号は、送信／受信要素２１０からネットワークにユーザが挿入しようとするものである。光リンク２１７ａのトラフィックは、送信／受信要素２１０双方に結合された２×１スイッチ２２６から来ている。スイッチ２２６は送信／受信要素２１０ａ又は２１０ｂから送信された一方のトラフィックを選択し、光リンク２１７ａに沿って継続させる。上述したように、特定の実施例は複数の送信／受信要素２１０を含まず、その場合２×１スイッチ２２６は実装又は使用されなくてよい。以下に説明されるスイッチ２２４及びスイッチ２３４を含む特定の実施例のスイッチは再構成可能であり、そのスイッチの状態は、特別な必要性に応じて継続する信号を又は挿入信号を通過させるように変更されてよいことが理解されるべきである。例えば、光リンク２１５ａで分離されたチャネル中に、或る信号を（ネットワークに）挿入することをユーザが希望する場合には、ユーザは、光リンク２１７ａの挿入信号をマルチプレクサ２２８ａに伝送するように、スイッチ２２４の向きを変更してもよい。
【００２２】
スイッチ２２４により伝搬するよう選択されたトラフィックはマルチプレクサ要素２０４ａのマルチプレクサ２２８ａに続き、そのトラフィックは、他のチャネル又は波長の他の光トラフィックと多重され、１つのトラフィックストリームにされる。マルチプレクサ要素２０４ａは光増幅器２３０及びOSCタップ２３２も含み、OSC信号は光リンク１０２ａに挿入され直す。
【００２３】
デマルチプレクサ２０２ａからの光リンク２１５ａに沿うトラフィックと同様ではあるが反対向きに、光リンク２１５ｂに沿って伝搬する或るチャネルの分離されたトラフィックはスプリッタ２２０に遭遇し、スプリッタはそのようなトラフィックの複製を別のスプリッタ２２２に分岐する。他の実施例はスプリッタ２２２の代わりにスイッチのような他の要素を利用してよいことが理解されるべきである。スプリッタ２２２からのトラフィックは送信／受信要素２１０ａ，２１０ｂに伝搬する。上述したように、特定の実施例は複数の送信／受信要素２１０を含まず、その場合スプリッタ２２２は実装又は使用されなくてよい。
【００２４】
光リンク２１５ｂに沿ってスプリッタ２２０から伝送し続けるトラフィックはノード要素２０６に続き、２×１光スイッチ２３４に遭遇する。光スイッチ２３４は、光リンク２１５ｂ又は光リンク２１７ｂからトラフィックを選択し、マルチプレクサ要素２０４ｂに続ける。光リンク２１７ｂのトラフィックは、送信／受信要素２１０双方に結合された２×１スイッチ２３６から来ている。スイッチ２３６は送信／受信要素２１０ａ又は２１０ｂから送信された一方のトラフィックを選択し、光リンク２１７ｂに沿って継続させる。上述したように、特定の実施例は複数の送信／受信要素２１０を含まず、その場合２×１スイッチ２３６は実装又は使用されなくてよい。
【００２５】
スイッチ２３４により伝搬するよう選択されたトラフィックはマルチプレクサ要素２０４ｂのマルチプレクサ２２８ｂに続き、そのトラフィックは、他のチャネル又は波長の他の光トラフィックと多重され、１つのトラフィックストリームにされる。マルチプレクサ要素２０４ｂは光増幅器２３０及びOSCタップ２３２も含み、OSC信号は光リンク１０２ｂに挿入され直す。
【００２６】
送信／受信要素２１０の各々は、スイッチ２４０、分配スプリッタ２４２、送信機２４４、フィルタ２４６及び受信機２４８を含む。送信／受信要素２１０の各々は、ローカルクライアント、加入者、他のネットワーク又は他の何らかの適切なソースから他のリンク１０２へ、ローカルに導出された挿入トラフィックを送信し、ローカルクライアント、加入者、他のネットワーク又は他の何らかの適切な宛先用にローカルに宛てられた分岐トラフィックを光リンク１０２から受信する。２つの送信／受信要素２１０はノード２００に対するワーク及びプロテクト機能を付加するよう描かれている（一方はワーク送信機／受信機として機能し、他方はプロテクト送信機／受信機として機能する。）。送信／受信要素２１０は光リンク２１５ａ，２１５ｂのトラフィックを処理する。デマルチプレクサ要素２０２及びマルチプレクサ要素２０４間の他の光リンクで搬送される他のチャネルのトラフィック用に、他の送信／受信要素が使用されてもよい。様々な実施例に関してここで説明される送信／受信要素は、他の機器に設けられてもよいし、ここで説明される素子とは別の場所に用意されてもよいことが理解されるべきである。
【００２７】
スイッチ２４０の各々は、光リンク２１５ａ，２１５ｂから光トラフィックを受信し、受信したトラフィックの一方をフィルタ２４６で受信するように選択的に通す。各フィルタは異なるチャネルを各自に関連する受信機２４８に転送可能にするように、フィルタ２４６が実現されてよい。分配スプリッタ２４２は、光リンク１０２ａ，１０２ｂでの通信用に、送信機２４４から光リンク２１５ａ，２１５ｂに送信される光トラフィックの複製を分配する。他の実施例では送信／受信要素は、光ネットワークに及びそこから光信号を送信及び受信する他のタイプの光素子を含んでよいことが、理解されるべきである。
【００２８】
既に図示及び説明されたように、光リンク２１５ａに沿って伝搬する分離されたトラフィックは、ノード要素２０６のスプリッタ２１６で分岐される。送信／受信要素２１０によりトラフィックがネットワークに挿入され直す場合に、スイッチ２２４に先行してそのようなトラフィックを分けることは、トラフィックがネットワークに挿入され直すのと同じ場所でより複雑なスイッチを準備する必要性を削減し、そのようなスイッチを利用することに起因する干渉を減らす。例えば、１つのスイッチで分岐及び挿入機能をもたらすように、２×１スイッチ２２４の代わりに２×２スイッチを利用すると、相互干渉を増やし、ネットワーク内で別の問題を引き起こすおそれがある。しかしながら、挿入スイッチとは別の場所でトラフィックを分岐することで、光信号を分岐及び挿入するための独自の物理的場所を用意し、使用されるスイッチの複雑さを更に減らす。更に上述したように受動的な分岐カプラが信号を分岐するために使用され、残りの信号が通過用に使用されることを可能にする。
【００２９】
上述したように、スイッチ２２４は、マルチプレクサ２２８につなぐために、送信／受信要素２１０の一方から挿入されたトラフィックと、光リンク２１５ａに沿うデマルチプレクスされたトラフィックとの間で選択を行う。光リンク２１５ａに沿って伝搬する分離されたトラフィックと同じチャネルに、ノード２００でトラフィックを（送信／受信要素２１０により）挿入及び分岐することをクライアントが希望する場合には、光リンク２１７ａからのトラフィックがネットワークでの通信用にマルチプレクサ２２８ａに伝搬するようにスイッチ２２４は設定されてもよい。しかしながら、光リンク２１５ａに沿って伝搬する分離されたトラフィックと同じチャネルに、どのクライアントトラフィックも挿入されないならば、光リンク２１５ａに沿って伝搬するトラフィックが光ネットワークの通信用にマルチプレクサ２２８ａに続くようにスイッチ２２４は設定されてもよい。
【００３０】
図３は一実施例によるノード３００の詳細を示すブロック図である。ノード３００は、デマルチプレクサ要素３０２、マルチプレクサ要素３０４、ノード要素３０６，３０８及び送信／受信要素３１０を含む。図示の簡明化のため、ノード３００は或る方向で光トラフィックを搬送する光リンク３０１に結合されるが；ノード３００は反対方向に光トラフィックを搬送する光リンクに結合されてもよい。光リンク３０１で搬送されるトラフィックとは逆向きにトラフィックを搬送する光リンクに及びそこから光トラフィックを挿入及び分岐する他の要素を、ノード３００は含んでもよい。
【００３１】
デマルチプレクサ要素３０２は、光増幅器３１２、デマルチプレクサ３１４及びOSCタップ３１９を含み、OSCタップはデマルチプレクサ３１４に遭遇する前にOSC信号を分ける。図２のノード２００の場合と同様に、ノード３００に関する図３は光リンク３１５に関して分離された或るチャネルの光トラフィックに何が起こるかを示す。他のリンクに関して分離された他のチャネルの光トラフィックも同様な要素に遭遇し、同様な処理がなされる。
【００３２】
光リンク３１５に分離された光トラフィックはスプリッタ３１６に遭遇し、図示の例ではスプリッタは光トラフィックを受動的に分岐させ且つ継続する。スプリッタ３１６は図２のノード２００中のスプリッタ２１６と機能的に同様であるが；スプリッタ３１６は、別個のノード要素又はスイッチカードに設けられるのではなく、ノード３００のデマルチプレクサ要素３０２に設けられている。特定の実施例では、スプリッタ３１６は、アレイウエーブガイド技法を用いて、薄膜フィルタを用いて又は他の技術や素子を用いて、デマルチプレクサ要素３０２上に実現されてよい。
【００３３】
スプリッタ３１６で分岐されたトラフィックは、送信／受信要素３１０双方に伝送されるようにスプリッタ３１８で分割される。特定の実施例は複数の送信／受信要素を含まず、その場合にスプリッタ３１８は実現又は使用されなくてよい。
【００３４】
スプリッタ３１６から継続するトラフィックはノード要素３０８で２×１スイッチ３２４に伝搬する。光スイッチ３２４は、マルチプレクサ要素３０４に続くように、光リンク３１５又は光リンク３１７からトラフィックを選択する。光リンク３１７のトラフィックは、送信／受信要素３１０の双方に結合された２×１スイッチ３２６から到来する。スイッチ３２６は、光リンク３１７に沿って続くように、送信／受信要素３１０ａ又は３１０ｂの一方から送信されたトラフィックを選択する。上述したように特定の実施例は複数の送信／受信要素３１０を含まず、その場合には２×１スイッチ３２６は実現又は使用されなくてよい。
【００３５】
スイッチ３２４を通過するよう選択されたトラフィックは、マルチプレクサ要素３０４のマルチプレクサ３２８に続き、トラフィックは他のチャネル又は波長の他の光トラフィックと多重され、１つのトラフィックストリームにされる。マルチプレクサ要素３０４は光増幅器３３０及びOSCタップ３３２を含み、OSC信号は光リンク３０１に挿入され直す。
【００３６】
ノード３００は、光リンク３０１で伝送されるトラフィックと反対向きに伝送されるトラフィックを挿入及び分岐する付加的な同様な要素を含んでもよい。更にノード３００は、デマルチプレクサ３１４から光リンク３１５で伝送されるチャネル又は波長とは異なる分離後のチャネルでトラフィックを処理する付加的な要素を含んでもよい。送信／受信要素３１０は図２の送信／受信要素２１０と機能的に同様であり、同様な要素を含んでよい。
【００３７】
上述したように、ノード３００は図２のノード２００と同様であるが、分離されたトラフィックが、後続のノード要素又はカードではなく、（スイッチ３１６を用いて）デマルチプレクサ要素で分岐される点が異なる。しかしながらノード３００は図２のノード２００と同様な恩恵をもたらし、トラフィックがネットワークに挿入されるスイッチに先行して光トラフィックを分岐することで、トラフィックがネットワークに挿入され直すのと同じ場所でより複雑なスイッチを準備する必要性を削減し、そのようなスイッチを利用することに起因する干渉を減らす。挿入スイッチとは別の場所でトラフィックを分岐することで、光信号を分岐及び挿入するための独自の物理的場所を用意する。
【００３８】
図４は特定の実施例によるノードにおける光トラフィック通信方法を示すフローチャートである。本方法はステップ４００から始まり、光トラフィックがネットワークのノードで受信される。ステップ４０２では、光トラフィックは例えば構成波長成分又はチャネルのような構成成分信号に分離される。特定の実施例では光トラフィックは約１００ＧＨｚスペーシングで約４０個の波長成分に分離される。
【００３９】
ステップ４０４では構成成分信号の少なくとも１つがスプリッタで分岐信号及び継続信号に分割される。分岐信号は構成成分信号のパワーの約１０％を有する。ステップ４０６では分岐信号がクライアントノードで使用するために受信され復元される。特定の実施例では分岐信号は更に分けられ、ワーク受信機及びプロテクト受信機に伝送される。プロテクト受信機はワーク受信機の不具合時に使用される。一実施例では、プロテクト受信機はワーク受信機の不具合時にとどまらず、ワーク受信機と並列的に二次的受信機として使用されてもよい。ステップ４０８ではネットワーク伝送用にスイッチが挿入信号及び継続信号の間で選択を行う。ステップ４０４で少なくとも１つの構成成分信号を分岐信号及び継続信号に分岐することは、ステップ４０２のデマルチプレクスと同じカード又はプラグインユニットでなされてもよいことが理解されるべきである。ステップ４０４のそのような分割は、ステップ４０２のデマルチプレクスが行われるカード又はプラグインユニットと、ステップ４０８のスイッチ選択が行われるカード又はプラグインユニットとの間に設けられたカード又はプラグインユニットでなされてもよい。ステップ４１０では選択された信号がネットワーク伝送用に他の信号と多重される。
【００４０】
図４に示されるステップの一部は適切ならば結合され、修正され又は削除されてもよく、付加的なステップがフローチャートに追加されてもよい。更にステップ−複数−は本発明の範囲から逸脱しない適切な如何なる順序で実行されてもよい。
【００４１】
以上本発明が特定の実施例を参照しながら詳細に説明されてきたが、本発明の精神及び範囲から逸脱せずに、様々な他の変更、置換及び代替がそれらになされてもよいことが理解されるべきである。例えば本発明はスイッチカード及び他のノード要素内に含まれた多数の要素に関連して説明されてきたが、特定の要請に応じて他の異なる要素が使用されてもよい。本発明はこれらの要素だけでなくそれらの内部要素の配置における多大な柔軟性をもたらす。
【００４２】
多数の他の変更、置換、変形、代替及び修正は当業者に確認されるであろうし、本発明はそのような変更、置換、変形、代替及び修正を添付の特許請求の範囲及び精神の範疇に包含することが意図される。更に本発明は特許請求の範囲に反映されていない明細書中のどの文言によってもどのようにも限定されないように意図される。
【００４３】
以下、本発明により教示される手段が例示的に列挙される。
【００４４】
（付記１）
ノードで光トラフィックを通信する方法であって、
ネットワーク上で光トラフィックを受信するステップと、
前記光トラフィックを、該光トラフィックの構成成分信号に分離するステップと、
前記構成成分信号の少なくとも１つを分岐信号及び継続信号に分けるステップと、
前記分岐信号を受信及び復元するステップと、
前記ネットワークでの通信用に、挿入信号及び前記継続信号の間で選択を行うステップと、
前記ネットワークでの通信用に、選択された信号を他の信号と多重するステップと、
を有することを特徴とする方法。
【００４５】
（付記２）
光トラフィックを構成成分信号に分離するステップが、前記光トラフィックを構成波長成分に分離するステップを有する
ことを特徴とする付記１記載の方法。
【００４６】
（付記３）
前記光トラフィックを構成波長成分に分離するステップが、前記光トラフィックを約４０個の構成波長成分に分離するステップを有する
ことを特徴とする付記２記載の方法。
【００４７】
（付記４）
前記光トラフィックを分離するステップが、前記光トラフィックをデマルチプレクサカードで分離するステップを有し、
前記構成成分信号の少なくとも１つを分けるステップが、前記構成成分信号の少なくとも１つを前記デマルチプレクサカードで分離するステップを有する
ことを特徴とする付記１記載の方法。
【００４８】
（付記５）
前記構成成分信号の少なくとも１つを前記デマルチプレクサカードで分離するステップが、アレイウエーブガイド技術又は薄膜フィルタを用いて、前記構成成分信号の少なくとも１つを前記デマルチプレクサカードで分離するステップを有する
ことを特徴とする付記４記載の方法。
【００４９】
（付記６）
前記分岐信号を第１分岐信号及び第２分岐信号に分岐するステップと、
前記第１分岐信号をワーク受信機で受信するステップと、
前記第２分岐信号をプロテクト受信機で受信するステップと、
を有することを特徴とする付記１記載の方法。
【００５０】
（付記７）
挿入信号及び前記継続信号の間で選択を行うステップが、２×１スイッチにより挿入信号及び前記継続信号の間で選択を行うステップを有する
ことを特徴とする付記１記載の方法。
【００５１】
（付記８）
光監視信号を前記光トラフィックから取り出すステップ
を有することを特徴とする付記１記載の方法。
【００５２】
（付記９）
ノードで光トラフィックを通信するシステムであって、
ネットワーク上で光トラフィックを受信するノードと、
前記ノードで受信された前記光トラフィックを、該光トラフィックの構成成分信号に分離するデマルチプレクサと、
前記デマルチプレクサに結合され、前記構成成分信号の少なくとも１つを分岐信号及び継続信号に分けるスプリッタと、
前記スプリッタに結合され、前記分岐信号を受信及び復元する受信機と、
前記スプリッタに結合され、前記ネットワークでの通信用に、挿入信号及び前記継続信号の間で選択を行うスイッチと、
前記スイッチに結合され、前記ネットワークでの通信用に、選択された信号を他の信号と多重するマルチプレクサと、
を有することを特徴とするシステム。
【００５３】
（付記１０）
光トラフィックを構成成分信号に分離するデマルチプレクサが、前記光トラフィックを構成波長成分に分離するデマルチプレクサより成る
ことを特徴とする付記９記載のシステム。
【００５４】
（付記１１）
前記光トラフィックを構成波長成分に分離するデマルチプレクサが、前記光トラフィックを約４０個の構成波長成分に分離するデマルチプレクサより成る
ことを特徴とする付記１０記載のシステム。
【００５５】
（付記１２）
前記デマルチプレクサ及び前記スプリッタが、デマルチプレクサカードに設けられる
ことを特徴とする付記９記載のシステム。
【００５６】
（付記１３）
前記スプリッタが、アレイウエーブガイド技術又は薄膜フィルタを用いて、前記構成成分信号の少なくとも１つを前記デマルチプレクサカードで分岐信号及び継続信号に分離する
ことを特徴とする付記１２記載のシステム。
【００５７】
（付記１４）
前記スプリッタに結合され、前記分岐信号を第１分岐信号及び第２分岐信号に分岐する第２スプリッタと、
前記第２スプリッタに結合され、前記第１分岐信号受信するワーク受信機と、
前記第２スプリッタに結合され、前記第２分岐信号を受信するプロテクト受信機と、
を有することを特徴とする付記９記載のシステム。
【００５８】
（付記１５）
前記スイッチが、２×１スイッチより成る
ことを特徴とする付記９記載のシステム。
【００５９】
（付記１６）
前記ノードが、光監視信号を前記光トラフィックから取り出すタップを有する
ことを特徴とする付記９記載のシステム。
【００６０】
（付記１７）
ノードで光トラフィックを通信するシステムであって、
ネットワーク上で光トラフィックを受信する手段と、
前記光トラフィックを、該光トラフィックの構成成分信号に分離する手段と、
前記構成成分信号の少なくとも１つを分岐信号及び継続信号に分ける手段と、
前記分岐信号を受信及び復元する手段と、
前記ネットワークでの通信用に、挿入信号及び前記継続信号の間で選択を行う手段と、
前記ネットワークでの通信用に、選択された信号を他の信号と多重する手段と、
を有することを特徴とするシステム。
【００６１】
（付記１８）
光トラフィックを構成成分信号に分離する手段が、前記光トラフィックを構成波長成分に分離する手段を有する
ことを特徴とする付記１７記載のシステム。
【００６２】
（付記１９）
前記光トラフィックを分離する手段が、前記光トラフィックをデマルチプレクサカードで分離する手段より成り、
前記構成成分信号の少なくとも１つを分ける手段が、前記構成成分信号の少なくとも１つを前記デマルチプレクサカードで分離する手段より成る
ことを特徴とする付記１７記載のシステム。
【００６３】
（付記２０）
前記分岐信号を第１分岐信号及び第２分岐信号に分岐する手段と、
前記第１分岐信号をワーク受信機で受信する手段と、
前記第２分岐信号をプロテクト受信機で受信する手段と、
を有することを特徴とする付記１７記載のシステム。
【図面の簡単な説明】
【００６４】
【図１】一実施例による光ネットワークを示す図である。
【図２】光トラフィックを分岐するスプリッタを備えた特定の実施例によるノードを示す図である。
【図３】デマルチプレクサ要素で光トラフィックを分岐するスプリッタを備えた別の実施例によるノードを示す図である。
【図４】特定の実施例によるノードにおける光トラフィック通信方法を示す図である。
【国際調査報告】
2007514380.tif 000007
2007514380.tif 000008
2007514380.tif 000009
2007514380.tif 000010
2007514380.tif 000011